(57)【要約】【課題】  コネクタを損傷されないように保護し通電不良が生じないにすること。【解決手段】  筐体１の前面に投影レンズが設けられ、該筐体１の後面下部に設けたジャック３Ａとそれに嵌合するプラグ３Ｂとからなるコネクタ３を介してケーブルＣ２がその筐体１に接続されており、前記投影レンズから映像を投影するようにしたプロジェクタにおいて、前記ジャック３Ａを筐体１内に収納するための収納空間８が該筐体１の後面下部に凹設され、該収納空間８内のガイドレール９に沿ってジャック３Ａが出退ａ，ｂ可能に形成され、収納空間８の開口部８ａを開閉する開閉蓋１１が設けられると共に、該開閉蓋１１とジャック３Ａとが連結杆１２を介して連結されており、開閉蓋１１を開動ｃさせることにより連結杆１２を介してジャック３Ａを収納空間８の開口部８ａまで引き出し、ジャック３Ａにプラグ３Ｂを嵌合させるようにした。【選択図】        図４
2007150822.tif 000002
【特許請求の範囲】
【請求項１】
筐体の前面に投影レンズが設けられ、該筐体の後面下部に固定したジャックとそれに嵌
合するプラグとからなるコネクタを介してケーブルがその筐体に接続されており、前記投
影レンズから映像を投影するようにしたプロジェクタにおいて、前記ジャックの固定を解
除し、該ジャックを筐体内に収納するための収納空間が該筐体の後面下部に凹設され、該
収納空間内のガイドレールに沿ってジャックが出退可能に形成され、前記収納空間の開口
部を開閉する開閉蓋が設けられ、該開閉蓋の上端部を枢支軸を介して開口部の上端に枢支
させることにより、その開閉蓋が枢支軸を中心に開閉可能に形成され、前記開閉蓋の下縁
中央から該開閉蓋のほぼ中心部まで延びるケーブル挿通溝が形成され、該ケーブル挿通溝
を塞ぐスリット付き可撓性シートが前記開閉蓋の裏面に貼着され、前記開閉蓋と前記ジャ
ックとが連結杆を介して連結されており、前記開閉蓋を開動させることにより連結杆を介
してジャックを収納空間の開口部まで引き出し、前記ジャックにプラグを嵌合させた状態
で開閉蓋を閉動させることにより連結杆を介してジャックを収納空間の奥部に押し込みプ
ラグを該収納空間内に収納し、ケーブルをケーブル挿通溝内に挿通させるようにしたこと
を特徴とするプロジェクタ。
【請求項２】
筐体の前面に投影レンズが設けられ、該筐体の後面下部に設けたジャックとそれに嵌合
するプラグとからなるコネクタを介してケーブルがその筐体に接続されており、前記投影
レンズから映像を投影するようにしたプロジェクタにおいて、前記ジャックを筐体内に収
納するための収納空間が該筐体の後面下部に凹設され、該収納空間内のガイドレールに沿
ってジャックが出退可能に形成され、前記収納空間の開口部を開閉する開閉蓋が設けられ
ると共に、該開閉蓋と前記ジャックとが連結杆を介して連結されており、前記開閉蓋を開
動させることにより連結杆を介してジャックを収納空間の開口部まで引き出し、前記ジャ
ックにプラグを嵌合させた状態で開閉蓋を閉動させることにより連結杆を介してジャック
を収納空間の奥部に押し込みプラグを該収納空間内に収納するようにしたことを特徴とす
るプロジェクタ。
【請求項３】
前記開閉蓋の上端部を枢支軸を介して開口部の上端に枢支させることにより、その開閉
蓋が枢支軸を中心に開閉可能に形成され、前記開閉蓋の下縁中央から該開閉蓋のほぼ中心
部まで延びるケーブル挿通溝が形成され、該ケーブル挿通溝を塞ぐスリット付き可撓性シ
ートが前記開閉蓋の裏面に貼着されていることを特徴とする請求項２に記載のプロジェク
タ。
【請求項４】
前記ジャックの両側部に配置した複数のガイドローラが前記ガイドレールに移動可能に
係合されていることを特徴とする請求項２または３に記載のプロジェクタ。
【請求項５】
前記ガイドレールの先端部が上向きに弯曲する弯曲部とされており、ジャックを収納空
間の開口部まで引き出したときに、該ジャックがガイドレールの弯曲部に沿って上向きに
傾斜されることを特徴とする請求項４に記載のプロジェクタ。
【請求項６】
前記各ガイドローラのうち、奥部側ガイドローラの外径よりも開口部側ガイドローラの
外径が小さく設定され、前記弯曲部のガイドローラ通過路の幅が奥部側ガイドローラの外
径よりも小さくて開口部側ガイドローラの外径よりも大きく設定されていることを特徴と
する請求項５に記載のプロジェクタ。
【発明の詳細な説明】
【技術分野】
【０００１】
本発明は、例えばテレビ映像をスクリーンに映写するプロジェクトに関し、特に、ケー
ブル接続用コネクタを損傷されないように保護するものである。
【背景技術】
【０００２】
従来、プロジェクタの技術として特許文献１などに記載したものがあり、その一例を図
１０及び図１１に基づいて説明すると、これは、筐体１の前面に投影レンズ２が設けられ
、該筐体１の後面下部に入力用と出力用の２つのナット３ａ付きジャック３Ａが固定され
ると共に、該各ジャック３ＡがケーブルＣ１を介して筐体１内の機器本体（図示せず）に
接続され、入力用と出力用の２つのケーブルＣ２にそれぞれ接続したボルト３ｂ付きプラ
グ３Ｂを前記各ジャック３Ａに嵌合させてコネクタ３を形成し、投影レンズ２から映像を
投影する。
【０００３】
前記筐体１の下面後部に左右一対の固定脚５が設けられると共に、該筐体１の下面前部
中央に出没可能な可動脚６が設けられており、該可動脚６及び固定脚５を介して筐体１を
床面Ｆ上に載置し、その可動脚６の突出長さを調整することにより、固定脚５を中心に筐
体１を上下動させ、投影レンズ２による投影角度を所望通りに設定する。
【特許文献１】特開２００２−２１８３５３号公報
【発明の開示】
【発明が解決しようとする課題】
【０００４】
上記従来の構成では、ジャック３Ａに嵌合させたプラグ３Ｂが筐体１より後方に突出さ
れているので、図１１に仮想線で示すように、例えば固定脚５を中心に筐体１の前部を持
ち上げて可動脚６の突出長さを調整したときに、筐体１の後部が下向きに回動してプラグ
３Ｂが床面Ｆに強く押し付けられ、そのプラグ３Ｂやジャック３Ａが損傷されるおそれが
ある。
【０００５】
そこで、筐体１の後面下部に収納空間を凹設し、該収納空間内にジャック３Ａとそれに
嵌合するプラグ３Ｂとを収納することが考えられるが、これでは、ジャック３Ａが収納空
間の奥部に入り込んだときに、そのジャック３Ａを収納空間から取り出すのに手間がかか
って面倒である。また、収納空間の開口部が開放されているので、その収納空間内に塵埃
が溜まりやすく、その溜まった塵埃によりジャック３Ａとプラグ３Ｂとの間で通電不良に
なるおそれがある。
【０００６】
本発明は、上記従来の欠点に鑑み、コネクタを損傷されないように保護し通電不良が生
じないにしたプロジェクタを提供することを目的としている。
【課題を解決するための手段】
【０００７】
上記目的を達成するため、請求項１に記載の発明は、筐体の前面に投影レンズが設けら
れ、該筐体の後面下部に固定したジャックとそれに嵌合するプラグとからなるコネクタを
介してケーブルがその筐体に接続されており、前記投影レンズから映像を投影するように
したプロジェクタにおいて、前記ジャックの固定を解除し、該ジャックを筐体内に収納す
るための収納空間が該筐体の後面下部に凹設され、該収納空間内のガイドレールに沿って
ジャックが出退可能に形成され、前記収納空間の開口部を開閉する開閉蓋が設けられ、該
開閉蓋の上端部を枢支軸を介して開口部の上端に枢支させることにより、その開閉蓋が枢
支軸を中心に開閉可能に形成され、前記開閉蓋の下縁中央から該開閉蓋のほぼ中心部まで
延びるケーブル挿通溝が形成され、該ケーブル挿通溝を塞ぐスリット付き可撓性シートが
前記開閉蓋の裏面に貼着され、前記開閉蓋と前記ジャックとが連結杆を介して連結されて
おり、前記開閉蓋を開動させることにより連結杆を介してジャックを収納空間の開口部ま
で引き出し、前記ジャックにプラグを嵌合させた状態で開閉蓋を閉動させることにより連
結杆を介してジャックを収納空間の奥部に押し込みプラグを該収納空間内に収納し、ケー
ブルをケーブル挿通溝内に挿通させるようにしたことを特徴としている。
【０００８】
請求項２に記載の発明は、筐体の前面に投影レンズが設けられ、該筐体の後面下部に設
けたジャックとそれに嵌合するプラグとからなるコネクタを介してケーブルがその筐体に
接続されており、前記投影レンズから映像を投影するようにしたプロジェクタにおいて、
前記ジャックを筐体内に収納するための収納空間が該筐体の後面下部に凹設され、該収納
空間内のガイドレールに沿ってジャックが出退可能に形成され、前記収納空間の開口部を
開閉する開閉蓋が設けられると共に、該開閉蓋と前記ジャックとが連結杆を介して連結さ
れており、前記開閉蓋を開動させることにより連結杆を介してジャックを収納空間の開口
部まで引き出し、前記ジャックにプラグを嵌合させた状態で開閉蓋を閉動させることによ
り連結杆を介してジャックを収納空間の奥部に押し込みプラグを該収納空間内に収納する
ようにしたことを特徴としている。
【０００９】
請求項３に記載の発明は、請求項２に記載の発明において、前記開閉蓋の上端部を枢支
軸を介して開口部の上端に枢支させることにより、その開閉蓋が枢支軸を中心に開閉可能
に形成され、前記開閉蓋の下縁中央から該開閉蓋のほぼ中心部まで延びるケーブル挿通溝
が形成され、該ケーブル挿通溝を塞ぐスリット付き可撓性シートが前記開閉蓋の裏面に貼
着されていることを特徴としている。
【００１０】
請求項４に記載の発明は、請求項２または３に記載の発明において、前記ジャックの両
側部に配置した複数のガイドローラが前記ガイドレールに移動可能に係合されていること
を特徴としている。
【００１１】
請求項５に記載の発明は、請求項４に記載の発明において、前記ガイドレールの先端部
が上向きに弯曲する弯曲部とされており、ジャックを収納空間の開口部まで引き出したと
きに、該ジャックがガイドレールの弯曲部に沿って上向きに傾斜されることを特徴として
いる。
【００１２】
請求項６に記載の発明は、請求項５に記載の発明において、前記各ガイドローラのうち
、奥部側ガイドローラの外径よりも開口部側ガイドローラの外径が小さく設定され、前記
弯曲部のガイドローラ通過路の幅が奥部側ガイドローラの外径よりも小さくて開口部側ガ
イドローラの外径よりも大きく設定されていることを特徴としている。
【発明の効果】
【００１３】
請求項１に記載の発明は第１の実施の形態（図１〜図７参照）に対応しており、これに
よれば、ジャックにプラグを嵌合させた状態で開閉蓋を閉動させることにより、連結杆を
介してジャックを筐体の後面下部に凹設した収納空間の奥部に押し込み、プラグを収納空
間内に収納するようになっているから、例えば筐体の前部を持ち上げることにより、該筐
体の後部が床面に接近したとしても、その床面に従来のようにプラグが強く押しつけられ
ることがなく、そのプラグ及びジャックを損傷されないように確実に保護することができ
る。
【００１４】
また、開閉蓋を開動させるだけで、連結杆を介してジャックを収納空間の開口部まで自
動的に引き出すことができ、使い勝手がよい。
【００１５】
更に、枢支軸を中心に開閉蓋を閉動させることにより、収納空間内に収納したプラグの
ケーブルが開閉蓋のケーブル挿通溝に挿通されると共に、そのケーブル挿通孔とケーブル
との間の隙間がスリット付き可撓性シールで塞がれるから、そのシール及び開閉蓋で収納
空間の開口部を確実に閉鎖することができ、収納空間内に塵埃が溜まることがない。従っ
て、冒頭に述べた例のように開放された収納空間内に塵埃が溜まって、その溜まった塵埃
によりジャックとプラグとの間で通電不良が生じるというおそれがない。
【００１６】
請求項２に記載の発明によれば、ジャックにプラグを嵌合させた状態で開閉蓋を閉動さ
せることにより、連結杆を介してジャックを筐体の後面下部に凹設した収納空間の奥部に
押し込み、プラグを該収納空間内に収納するようになっているから、例えば筐体の前部を
持ち上げることにより、該筐体の後部が床面に接近したとしても、その床面に従来のよう
にプラグが強く押しつけられることがなく、そのプラグ及びジャックを損傷されないよう
に確実に保護することができる。
【００１７】
また、開閉蓋を開動させるだけで、連結杆を介してジャックを収納空間の開口部まで自
動的に引き出すことができ、使い勝手がよい。
【００１８】
請求項３に記載の発明によれば、枢支軸を中心に開閉蓋を閉動させることにより、収納
空間内に収納したプラグのケーブルが開閉蓋のケーブル挿通溝に挿通されると共に、その
ケーブル挿通孔とケーブルとの間の隙間がスリット付き可撓性シールで塞がれるから、そ
のシール及び開閉蓋で収納空間の開口部を確実に閉鎖することができ、収納空間内に塵埃
が溜まることがない。従って、冒頭に述べた例のように開放された収納空間内に塵埃が溜
まって、その溜まった塵埃によりジャックとプラグとの間で通電不良が生じるというおそ
れがない。
【００１９】
請求項４に記載の発明によれば、ジャックが複数のガイドローラを介してガイドレール
に支持されており、その各ガイドローラとガイドレールとの間の摩擦が小さいので、その
ジャックの出退移動を円滑に行わせることができる。
【００２０】
請求項５に記載の発明によれば、ジャックを収納空間の開口部まで引き出したときに、
該ジャックがガイドレールの弯曲部に沿って上向きに傾斜されるので、そのジャックに対
してプラグを容易に嵌合させることができる。
【００２１】
請求項６に記載の発明によれば、ジャックを収納空間の開口部まで引き出したときに、
奥部側ガイドローラがガイドローラ通過路に入れないので、該ジャックをそれ以上引き出
されないようにして収納空間の開口部に確実に停止させることができる。
【発明を実施するための最良の形態】
【００２２】
図１〜図７は本発明の第１の実施の形態であるプロジェクタを示すものであって、入力
用と出力用の２つのジャック３Ａを筐体１内に収納するための収納空間８が該筐体１の後
面下部に凹設され、該収納空間８内の底板部８ｂ上に左右一対の横断面略コ字状ガイドレ
ール９が各ジャック３Ａに対向して敷設され、該各ジャック３Ａの下面両側縁に突設した
側板部１０のガイドシュー１０ａを各ガイドレール９に摺動可能に嵌合させることにより
、その各ジャック３Ａがガイドレール９に沿って出退ａ，ｂ可能に形成され、前記収納空
間８の開口部８ａを開閉する一対の開閉蓋１１が設けられると共に、該各開閉蓋１１と各
ジャック３Ａとが左右一対の連結杆１２を介して連結されている。上記以外の構成は図１
０及び図１１に示す構成とほぼ同じであるから、同一部分に同一符号を付してその説明を
省略する。
【００２３】
前記開閉蓋１１は、図７に示すように、上端部に一体突設した枢支軸１１ａを開口部８
ａの上端に形成した枢支孔１４に嵌入させることにより、その枢支軸１１ａを中心に開閉
蓋１１が開閉ｃ，ｄ可能に形成され、該開閉蓋１１の下縁中央からその開閉蓋１１のほぼ
中心部まで延びるケーブル挿通溝１５が形成され、該ケーブル挿通溝１５を塞ぐスリット
１６ａ付き可撓性シート１６が開閉蓋１１の裏面に貼着されている。なお、図７中、１７
は開閉蓋１１の裏面下端に一体突設した略Ｌ字状フックであって、開閉蓋１１を閉動ｄさ
せたときに底板部８ｂの先端縁に係脱可能に係合して、その開閉蓋１１を確実に閉鎖状態
にするものである。
【００２４】
前記連結杆１２は、図６及び図７に示すように、金属または合成樹脂からなる棒材によ
り形成され、その両端に形成した一つ割り状の輪環部１２ａを各側板部１０（またはジャ
ック３Ａ）の端面及び開閉蓋１１の裏面下部に一体突設したアイプレート部１８，１９に
係合させることにより、開閉蓋１１とジャック３Ａとを連結している。
【００２５】
動作手順を説明すると、図４及び図５に示すように、開閉蓋１１を開動ｃさせることに
より、各連結杆１２を介してジャック３Ａをガイドレール９に沿って矢印ｂ方向にスライ
ドさせ、収納空間８の開口部８ａまで引き出す。この状態で、ジャック３Ａにプラグ３Ｂ
を嵌合させた後、図２及び図３に示すように、開閉蓋１１を閉動ｄさせることにより、各
連結杆１２を介してジャック３Ａをガイドレール９に沿って矢印ａ方向にスライドさせ、
ジャック３Ａを収納空間８の奥部に押し込みプラグ３Ｂを該収納空間８内に収納する。
【００２６】
上記構成によれば、ジャック３Ａにプラグ３Ｂを接続し、開閉蓋１１を閉動ｄさせた状
態で、図２に仮想線で示すように、例えば筐体１の前部を持ち上げることにより、該筐体
の後部が固定脚５を中心に下向きに回動して床面Ｆに接近したとしても、その床面Ｆに従
来のようにプラグ３Ｂが強く押しつけられることがなく、そのプラグ３Ｂ及びジャック３
Ａを損傷されないように確実に保護することができる。
【００２７】
また、図４及び図５に示すように、開閉蓋１１を開動ｃさせるだけで、連結杆１２を介
してジャック３Ａを収納空間８の開口部８ａまで自動的に引き出すことができ、使い勝手
がよい。
【００２８】
更に、図２及び図３に示すように、枢支軸１１ａを中心に開閉蓋１１を閉動ｄさせるこ
とにより、収納空間８内に収納したプラグ３ＢのケーブルＣ２が開閉蓋１１のケーブル挿
通溝１５に挿通されると共に、そのケーブル挿通溝１５とケーブルＣ２との間の隙間がス
リット１６ａ付き可撓性シート１６で塞がれるから、そのシート１６及び開閉蓋１１で収
納空間８の開口部８ａを確実に閉鎖することができ、また、ジャック３Ａにプラグ３Ｂを
係合させていない状態で開閉蓋１１を閉動ｄさせたときにも、開閉蓋１１及びシート１６
により開口部８ａが閉鎖されるから、収納空間８内に塵埃が溜まることがない。従って、
冒頭に述べた例のように開放された収納空間８内に塵埃が溜まって、その溜まった塵埃に
よりジャック３Ａとプラグ３Ｂとの間で通電不良が生じるというおそれがない。
【００２９】
第１の実施の形態では、ジャック３Ａをガイドシュー１０を介してガイドレール９に出
退ａ，ｂ可能に係合させたが、図８に示すように、そのガイドシュー１０に替えて複数（
この実施の形態では２つ）のガイドローラ２１，２２をジャック３Ａの両側板部１０に配
置し、該各ガイドローラ２１，２２をガイドレール９に移動可能に係合させるようにして
もよい。この場合、各ガイドローラ２１，２２とガイドレール９との間の摩擦が小さいの
で、そのジャック３Ａの出退ａ，ｂ移動を円滑に行わせることができる（第２の実施の形
態）。
【００３０】
図９は本発明の第３の実施の形態であるプロジェクタの要部を示すものであって、各ガ
イドローラ２１，２２うち、奥部側ガイドローラ２１の外径ｄ１よりも開口部側ガイドロ
ーラ２２の外径ｄ２が小さく設定され、各ガイドレール９の先端部が弯曲部９ａとされて
、該弯曲部９ａのガイドローラ通過路２４が上向きに弯曲され、そのガイドローラ通過路
２４の幅ｄ３が奥部側ガイドローラ２１の外径ｄ１よりも小さくて開口部側ガイドローラ
２２の外径ｄ２よりも大きく設定されている。
【００３１】
上記構成によれば、図９に実線で示すように、ジャック３Ａを収納空間８の開口部８ａ
まで引き出したときに、開口部側ガイドローラ２１だけが弯曲部９ａのガイドローラ通過
路２４内に入って、該ジャック３Ａが上向きに所定角度α（この実施の形態では３°）傾
斜されるので、そのジャック３Ａに対してプラグ３Ｂを容易に嵌合させることができ、そ
れと同時に、奥部側ガイドローラ２１がガイドローラ通過路２４に入れないので、ジャッ
ク３Ａをそれ以上引き出されないようにして収納空間８の開口部８ａに確実に停止させる
ことができる。
【産業上の利用可能性】
【００３２】
上記の実施の形態では、筐体１の後面下部に入力用と出力用の２つのジャック３Ａを設
けたプロジェクタを例にあげが、それに限定されるわけではなく、出力用または入力用の
１つのジャック３Ａを設けたプロジェクタにも適用される。
【図面の簡単な説明】
【００３３】
【図１】本発明の第１の実施の形態であるプロジェクタの斜視図である。
【図２】同要部の開閉蓋閉動状態の一部切欠き側面図である。
【図３】同要部の背面図である。
【図４】同要部の開閉蓋開動状態の一部切欠き側面図である。
【図５】同要部の背面図である。
【図６】同要部の分解斜視図である。
【図７】同開閉蓋の裏面側斜視図である。
【図８】本発明の第２の実施の形態であるプロジェクタの開閉蓋開動状態の一部切欠き側面図である。
【図９】本発明の第３の実施の形態であるプロジェクタの要部の拡大縦断面図である。
【図１０】従来例を示す斜視図である。
【図１１】同側面図である。
【符号の説明】
【００３４】
１          筐体
２          投影レンズ
３          コネクタ
３Ａ        ジャック
３Ｂ        プラグ
８          収納空間
８ａ        収納空間の開口部
９          ガイドレール
９ａ        ガイドレールの弯曲部
１１        開閉蓋
１１ａ      枢支軸
１２        連結杆
１５        ケーブル挿通溝
１６        可撓性シート
１６ａ      スリット
２１        奥部側ガイドローラ
２２        開口部側ガイドローラ
２４        ガイドローラ通過路
Ｃ２        ケーブル
【図１】
2007150822.tif 000003
【図２】
2007150822.tif 000004
【図３】
2007150822.tif 000005
【図４】
2007150822.tif 000006
【図５】
2007150822.tif 000007
【図６】
2007150822.tif 000008
【図７】
2007150822.tif 000009
【図８】
2007150822.tif 000010
【図９】
2007150822.tif 000011
【図１０】
2007150822.tif 000012
【図１１】
2007150822.tif 000013